(57)【要約】インターネット取引を推奨する方法及び装置が本明細書において提供される。インターネット取引要求のフィードバック結果は、本開示の技術方式を用いて最適化される。詳細には、インターネット取引要求をユーザのクライアントから受信した後に、応答ウェブサーバは、一方において、インターネット取引要求のフィードバック結果を確認し、そして他方において、ユーザのユーザグループの情報のクエリを生成する。ユーザグループの情報に含まれる少なくとも２人のユーザの情報に対応するそれぞれのインターネット取引操作に基づいて、ウェブサーバは、インターネット取引要求のフィードバック結果の最適化を行なう。この技術方式を用いて、ユーザが情報オブジェクトをやみくもに選択することによるネットワークリソースの占有を減らすことができるので、ウェブサーバの稼働効率を向上させることができる。
2016517986.tif 000002
【特許請求の範囲】
【請求項１】
インターネット取引を推奨する方法であって：
インターネット取引要求を第１ユーザのクライアントから受信し；
前記第１ユーザのユーザグループの情報のクエリを生成し、前記ユーザグループの前記情報が、少なくとも２人のユーザの情報を含み；そして
前記インターネット取引要求のフィードバック結果の最適化を、前記少なくとも２人のユーザの前記情報に対応するそれぞれのインターネット取引操作情報に基づいて行なう、方法。
【請求項２】
前記インターネット取引要求を前記第１ユーザの前記クライアントから受信する前に、前記方法では更に：
第２ユーザを前記ユーザグループに登録する要求を前記第１ユーザの前記クライアントから受信し；そして
前記第２ユーザの情報を前記第１ユーザの前記ユーザグループの前記情報に、前記第２ユーザを登録する前記要求に含まれる前記第２ユーザの前記情報に基づいて登録する、請求項１に記載の方法。
【請求項３】
前記第２ユーザは地理的に、前記第１ユーザの近傍に位置し；
前記第２ユーザは、前記第１ユーザのアドレス帳のユーザであり；
前記第２ユーザは、ソーシャルメディアを通じた前記第１ユーザの友人であり；かつ／または
前記第２ユーザは、前記第１ユーザがランダムに探し出したユーザである、請求項２に記載の方法。
【請求項４】
前記第２ユーザを前記ユーザグループに登録する前記要求を前記第１ユーザの前記クライアントから受信した後に、前記方法では更に：
前記第２ユーザに関連する友人を前記第１ユーザの前記クライアントに対して推奨する；または
前記第２ユーザの前記関連する友人を前記第１ユーザの前記ユーザグループの前記情報に自動的に登録し、前記第２ユーザの前記関連する友人は、前記第１ユーザが前記第２ユーザのユーザグループ情報の中に予め設定しているクラス範囲を満たす友人である、請求項２に記載の方法。
【請求項５】
前記インターネット取引操作情報は、ユーザ群が購入する情報オブジェクトに関する操作情報、及び／または前記ユーザ群が評価する情報オブジェクトに関する操作情報を含む、請求項１に記載の方法。
【請求項６】
前記インターネット取引要求は：
情報オブジェクトに対する検索要求；または
前記ユーザが指定する情報オブジェクトに対して行なわれるインターネット取引操作にアクセスするアクセス要求を含む、請求項１に記載の方法。
【請求項７】
前記インターネット取引要求が前記情報オブジェクトに対する前記検索要求を含む場合、前記インターネット取引要求の前記フィードバック結果の前記最適化を行なう際に：
インターネット取引操作情報に対応する情報オブジェクトを、前記検索要求の前記フィードバック結果の中から、前記少なくとも２人のユーザの前記情報に対応する前記それぞれのインターネット取引操作情報に基づいて確認し；
前記フィードバック結果の中から確認される前記情報オブジェクトを表示する状態を調整する、請求項６に記載の方法。
【請求項８】
前記インターネット取引要求が前記情報オブジェクトに対する前記検索要求を含む場合、前記インターネット取引要求の前記フィードバック結果の前記最適化を行なう前に、前記方法では更に：
各ユーザが、インターネット取引操作を行なった場合、それぞれのユーザの情報と少なくとも１つの情報オブジェクトとの間のインデックス関係を、前記それぞれのユーザの前記インターネット取引操作の情報に基づいて作成し、前記インデックス関係を前記それぞれのユーザとの間で有する前記情報オブジェクトは、前記それぞれのユーザの前記インターネット取引操作に対応し；そして
前記インターネット取引要求の前記フィードバック結果の前記最適化を行なう際に：
各ユーザ情報に対応するそれぞれの情報オブジェクトを、前記第１ユーザの前記ユーザグループの前記情報の中から、前記インデックス関係に基づいて確認し；そして
前記フィードバック結果の中から確認される前記情報オブジェクトを表示する状態を調整する、請求項６に記載の方法。
【請求項９】
前記フィードバック結果の中から確認される前記情報オブジェクトを表示する前記状態を調整する際に：
前記フィードバック結果の中から確認される前記情報オブジェクトの表示順を調整し；
前記フィードバック結果の中から確認される前記情報オブジェクトを調整して強調表示し；かつ／または
前記フィードバック結果の中から確認される前記情報オブジェクトを調整して個別に表示する、請求項７に記載の方法。
【請求項１０】
前記インターネット取引要求がアクセス要求を含む場合、前記インターネット取引要求の前記フィードバック結果の前記最適化を、前記少なくとも２人のユーザの前記情報に対応する前記それぞれのインターネット取引操作情報に基づいて行なう際に：
前記少なくとも２人のユーザの前記情報に対応する前記それぞれのインターネット取引操作情報を、指定情報オブジェクトに対応する全ユーザのインターネット取引操作情報の中から確認し；そして
前記全てのユーザ群の前記インターネット取引操作情報の中から前記確認されるインターネット取引操作情報を表示する状態を調整する、請求項５に記載の方法。
【請求項１１】
前記全てのユーザ群の前記インターネット取引操作情報の中から前記確認されるインターネット取引操作情報を表示する状態を調整する際に：
前記全てのユーザ群の前記インターネット取引操作情報の中から前記確認されるインターネット取引操作情報の表示順を調整し；
前記全てのユーザ群の前記インターネット取引操作情報の中から前記確認されるインターネット取引操作情報を調整して強調表示し；かつ／または
前記全てのユーザ群の前記インターネット取引操作情報の中から前記確認されるインターネット取引操作情報を調整して個別に表示する、請求項１０に記載の方法。
【請求項１２】
インターネット取引を推奨する装置であって：
インターネット取引要求を第１ユーザのクライアントから受信するために使用される取引要求受信ユニットと；
前記第１ユーザのユーザグループの情報のクエリを生成するために使用されるユーザグループメンテナンスユニットであって、前記ユーザグループ情報が、少なくとも２人のユーザの情報を含む、前記ユーザグループメンテナンスユニットと；
前記インターネット取引要求のフィードバック結果を、前記少なくとも２人のユーザの前記情報に対応するインターネット取引操作情報に基づいて最適化するために使用されるフィードバック結果最適化ユニットと、を備える、装置。
【請求項１３】
前記ユーザグループメンテナンスユニットは更に、第２ユーザをユーザグループに登録する要求を前記第１ユーザの前記クライアントから受信して、前記第２ユーザの情報を前記第１ユーザの前記ユーザグループ情報に、前記第２ユーザを登録する前記要求に含まれる前記第２ユーザの前記情報に基づいて登録するために使用される、請求項１２に記載の装置。
【請求項１４】
前記ユーザグループメンテナンスユニットは更に、前記第２ユーザに関連する友人を前記第１ユーザの前記クライアントに対して推奨するために使用される、または前記第２ユーザを前記ユーザグループに登録する前記要求を前記第１ユーザの前記クライアントから受信した後に、前記第２ユーザの前記関連する友人を前記第１ユーザの前記ユーザグループ情報に自動的に登録するために使用され、前記第２ユーザの前記関連する友人は、前記第１ユーザが前記第２ユーザのユーザグループ情報の中に予め設定しているクラス範囲を満たす友人に対応する、請求項１３に記載の装置。
【請求項１５】
前記取引要求受信ユニットは更に、情報オブジェクトに対する検索要求を前記第１ユーザの前記クライアントから受信するために使用される、または前記ユーザが指定する情報オブジェクトに対して行なわれるインターネット取引操作にアクセスするアクセス要求を受信するために使用される、請求項１２に記載の装置。
【請求項１６】
前記フィードバック結果最適化ユニットは：
前記インターネット取引要求が情報オブジェクトに対する検索要求を含む場合に、インターネット取引操作に対応する情報オブジェクト（群）を、前記検索要求の前記フィードバック結果の中から、前記少なくとも２人のユーザの前記情報に対応するそれぞれのインターネット取引操作に基づいて確認して、前記フィードバック結果の中から前記確認される情報オブジェクト（群）を表示する状態を調整するために使用される；または
前記インターネット取引要求がアクセス要求を含む場合に、前記少なくとも２人のユーザの前記情報に対応する前記それぞれのインターネット取引操作を、前記指定された情報オブジェクトに対応する全ユーザのインターネット取引操作の中から確認して、前記全てのユーザ群の前記インターネット取引操作の中から前記確認されるインターネット取引操作を表示する状態を調整するために使用される、請求項１５に記載の装置。
【請求項１７】
更に：
インデックス生成ユニットを備え、該インデックス生成ユニットは、各ユーザが、インターネット取引操作を行なう場合、前記ユーザの情報と少なくとも１つの情報オブジェクトとの間のインデックス関係を、前記ユーザの前記インターネット取引操作に従って構築するために使用され、前記インデックス関係を前記ユーザとの間で有する前記情報オブジェクトは、前記ユーザの前記インターネット取引操作に対応し、
前記フィードバック結果最適化ユニットは、各ユーザ情報に対応するそれぞれの情報オブジェクトを、前記第１ユーザの前記ユーザグループ情報の中から、前記インデックス生成ユニットが作成する前記インデックス関係に基づいて確認して、前記フィードバック結果の中から前記確認される情報オブジェクト（群）を表示する前記状態を調整するために使用される、請求項１５に記載の装置。
【請求項１８】
実行可能命令群を格納する１つ以上のコンピュータ可読媒体であって、該実行可能命令群を１つ以上のプロセッサが実行すると、前記１つ以上のプロセッサが操作を実行するようになり、これらの操作では：
インターネット取引要求を第１ユーザのクライアントから受信し；
前記第１ユーザのユーザグループの情報のクエリを生成し、前記ユーザグループの前記情報が、少なくとも２人のユーザの情報を含み；そして
前記インターネット取引要求のフィードバック結果の最適化を、前記少なくとも２人のユーザの前記情報に対応するそれぞれのインターネット取引操作情報に基づいて行なう、１つ以上のコンピュータ可読媒体。
【請求項１９】
前記インターネット取引要求を前記第１ユーザの前記クライアントから受信する前に、これらの操作では更に：
第２ユーザを前記ユーザグループに登録する要求を前記第１ユーザの前記クライアントから受信し；そして
前記第２ユーザの情報を前記第１ユーザの前記ユーザグループの前記情報に、前記第２ユーザを登録する前記要求に含まれる前記第２ユーザの前記情報に基づいて登録する、請求項１８に記載の１つ以上のコンピュータ可読媒体。
【請求項２０】
前記第２ユーザを前記ユーザグループに登録する前記要求を前記第１ユーザの前記クライアントから受信した後に、これらの操作では更に：
前記第２ユーザの前記関連する友人を前記第１ユーザの前記クライアントに対して推奨する；または
前記第２ユーザの前記関連する友人を前記第１ユーザの前記ユーザグループの前記情報に自動的に登録し、前記第２ユーザに関連する友人は、前記第１ユーザが前記第２ユーザのユーザグループ情報の中に予め設定しているクラス範囲を満たす友人である、請求項１９に記載の１つ以上のコンピュータ可読媒体。
【発明の詳細な説明】
【技術分野】
【０００１】
本出願は、インターネット技術、特にインターネット取引を推奨する方法及び装置に関するものである。
【背景技術】
【０００２】
電子情報時代が到来して、インターネットは、人々の生活の中でかってないほどの大きな役割を果たすようになっている。人々は、種々の種類の情報をインターネットから実生活において迅速に取得することができる。インターネットを使用すると、大きな利便性が人々の生活及び仕事にもたらされるので、現在、利用が広範囲に及ぶ技術になっている。
【０００３】
インターネットが普及してきたので、インターネットは、ビジネスを成功させるための基本的な方法になっている。インターネットを利用して行なわれる取引は普通、Ｉｎｔｅｒｎｅｔ  Ｔｒａｎｓａｃｔｉｏｎ（インターネット取引）と呼ばれる。現在、インターネット取引は種類が非常に多様であり、関連取引は主として、ネットワークに展開される各サーバを介して行なわれる。例えば、広く利用されている取引型ウェブサイトのウェブサーバは主として、種々の種類の取引サービスを極めて多数のユーザに提供する。情報オブジェクトのプロバイダーは、情報オブジェクトの検索可能な記述情報をウェブページに提示して、ユーザが選択することができるようにしている。具体的には、提示される記述情報は、情報オブジェクトの写真、名前、使用法、及び価格などを含むことができる。従って、ユーザは、ウェブページの情報オブジェクトをブラウジングして、彼／彼女が次の取引のために希望するオブジェクトを選択することができる。
【０００４】
多くの要素が存在している状態では、取引オブジェクトを、単に情報オブジェクトの記述情報に基づいて選択すると、確実性が低くなる。現在、広く利用されている選択方法では、情報オブジェクトに関連する評価情報を調査する。図１は、情報オブジェクトをユーザが、評価情報を調査することにより選択するプロセスを示すフローチャートであり、このプロセスは、以下のブロック１０１〜１０４を含むことができる：
【０００５】
ブロック１０１では、ユーザは、情報オブジェクトを選択して、クリックすることにより、情報オブジェクトに関連するウェブページへの入力を行なう。
【０００６】
このブロックでは、ユーザが選択してクリックする情報オブジェクトは、インターネットページに表示される情報オブジェクトである。このようなインターネットページは、ウェブサーバが提供するホームページ、またはウェブサーバがユーザの検索要求に基づいて返す検索結果ページとすることができる。
【０００７】
ブロック１０２では、ユーザは、情報オブジェクトの評価リストへの入力を行なって、情報オブジェクトに付与される他のユーザの個々の評価情報を調査する。
【０００８】
このブロックでは、ユーザは、情報オブジェクトの評価リストへの入力を、情報オブジェクトを表示するウェブページが提供する評価リストのインターフェースを介して行なう。
【０００９】
ブロック１０３では、ユーザは、情報オブジェクトが彼／彼女の要求を満たしているかどうかを、他のユーザの評価情報に基づいて判断する。満たしている場合、ブロック１０４が行なわれる。満たしていない場合、ブロック１０１が行なわれる。
【００１０】
ブロック１０４では、ユーザは、情報オブジェクトを選択する。
【００１１】
このブロックでは、ユーザは、情報オブジェクトを多くの異なる方法で、例えば購入を直接行なうことにより、ショッピングカートへの登録を行なうことにより、または情報オブジェクトをブックマークすることにより選択することができる。
【００１２】
情報オブジェクトをユーザが、評価情報を調査することにより選択するプロセスは、この段階で終了する。
【発明の概要】
【発明が解決しようとする課題】
【００１３】
図１に対応するプロセスでは、ユーザは、ウェブページに提示される情報オブジェクトを選択して、選択を情報オブジェクト群の表示順に従って適正に行なう、例えば選択を、ウェブページの第１情報オブジェクトから始めて、彼／彼女の要求を満たすオブジェクトが選択されるまで順番に行なう。実際のネットワーク環境では、ユーザの情報オブジェクトの評価情報が良いか、または悪いかについて確かではない場合、ユーザに要求して、各情報を個々に調査させて判断させる。従って、情報オブジェクトをユーザが、評価情報を調査することにより選択する方法は、やみくもな選択方法である。詳細には、情報オブジェクトを選択するプロセスでは、ユーザは、多数の他のユーザから与えられる評価情報を調査するために、異なる情報オブジェクトを表示する複数ページへの入力を複数回行なう必要がある。ユーザにとっては、情報オブジェクトを選択する際の効率が低いので、ユーザの体験を悪化させる。ウェブサーバの場合、情報オブジェクト群、及びこれらの情報オブジェクトに対応する評価を表示する複数ページが、ユーザからの要求に応答して継続的に読み込まれることにより、大量のネットワークリソースが占有されて、ウェブサーバの効率を低下させる。
【課題を解決するための手段】
【００１４】
この要約は、コンセプト群の中から選択されるコンセプトを、簡略化して紹介するために提供され、これらのコンセプトは、以下の詳細な説明の中で詳細に記載される。この要約は、特許請求する主題の全ての重要な特徴または基本的な特徴を特定するために用いられるのではなく、単独で使用されて、特許請求する主題の範囲を決定し易くするために用いられる訳でもない。例えば、“ｔｅｃｈｎｉｑｕｅｓ”という用語は、上記背景技術により、かつ本開示全体を通じて許容されるように、デバイス（群）、システム（群）、方法（群）、及び／またはコンピュータ可読命令群を指すことができる。
【００１５】
以上に鑑みて、本開示の例示的な実施形態は、インターネット取引を推奨する方法及び装置を提供する。この技術方式を用いることにより、情報オブジェクトをユーザ群がやみくもに選択することによるネットワークリソースの占有を減らして、ウェブサーバの稼働効率を向上させることができる。
【００１６】
本開示の種々実施形態は、以下の技術方式を用いて実現される。
【００１７】
本開示の種々実施形態の１つの態様によれば、インターネット取引を推奨する方法が提供され、該方法では：
第１ユーザのクライアントから送信されるインターネット取引要求を受信し；
第１ユーザのユーザグループ情報のクエリを生成し、ユーザグループ情報が、少なくとも２人のユーザの情報を含み；そして
インターネット取引要求のフィードバック結果を、少なくとも２人のユーザの情報に対応するインターネット取引操作情報に基づいて最適化する。
【００１８】
本開示の種々実施形態の別の態様によれば、インターネット取引を推奨する装置が更に提供され、該装置は：
第１ユーザのクライアントから送信されるインターネット取引要求を受信するために使用される取引要求受信ユニットと；
第１ユーザのユーザグループの情報のクエリを生成するために使用されるユーザグループメンテナンスユニットであって、ユーザグループ情報が、少なくとも２人のユーザの情報を含む、ユーザグループメンテナンスユニットと；
インターネット取引要求のフィードバック結果を、少なくとも２人のユーザの情報に対応するインターネット取引操作情報に基づいて最適化するために使用されるフィードバック結果最適化ユニットと、を含む。
【００１９】
本開示のこれまでの実施形態により提供される少なくとも１つの技術方式を用いて、第１ユーザのクライアントから送信されるインターネット取引要求を受信した後、ウェブサーバは、一方において、インターネット取引要求のフィードバック結果を確認し、そして他方において、ユーザのユーザグループ情報のクエリを生成する。ユーザグループ情報に含まれる他のユーザ群のインターネット取引操作情報に基づいて、ウェブサーバは、インターネット取引要求のフィードバック結果の最適化を行なう。既存の技術と比較して、本開示の技術方式では、インターネット取引に関連するフィードバック結果を返す前に、フィードバック結果を他のユーザ群のインターネット取引操作に基づいて最適化することができる。情報オブジェクトへの入力を行なって、ユーザが既存の技術でユーザ評価を調査するやみくもな選択方法と比較して、ユーザに返されるフィードバック結果に対して、最適化が、ユーザ群のインターネット操作情報（例えば、情報オブジェクトに関するユーザ群の評価情報）に基づいて、本開示の技術方式を用いて行なわれることにより、ユーザが情報オブジェクトを選択し易くなるという目標を達成して、ユーザの要求を満たす情報オブジェクトを選択する効率を向上させることができ、ネットワークリソースの占有を減らすことができ、ウェブサーバの稼働効率を向上させることができる。
【００２０】
本出願の他の特徴及び利点は、本開示に以下に説明され、かつ本開示から明らかになる、または本開示の種々実施形態を通して理解される。本出願の目標及び他の利点は、明細書、請求項、及び図面に詳細に記載される構造（群）により達成することができ、かつ実現することができる。
【００２１】
添付の図面は、本出願に対する理解を深めるために使用されて、本開示の一部を構成する。これらの図面は、本出願を種々実施形態と組み合わせて説明するために使用されるのであり、本出願を限定するものとして解釈されてはならない。
【図面の簡単な説明】
【００２２】
【図１】情報オブジェクトをユーザが評価情報を従来の技術で調査することにより選択するプロセスを示すフローチャートである。
【図２】本出願の第１の実施形態によるインターネット取引を推奨するプロセスを示すフローチャートである。
【図３】本出願の第１の実施形態による第１ユーザのユーザグループを作成するプロセスを示すフローチャートである。
【図４】本出願の第１の実施形態によるユーザ関係の模式図である。
【図５】本出願の第１の実施形態によるインターネット取引要求が情報オブジェクトに対する検索要求である場合の最適化プロセスを示すフローチャートである。
【図６】実際の利用形態における図５の最適化プロセスの模式図である。
【図７】本出願の第１の実施形態によるインターネット取引要求が情報オブジェクトに対する検索要求である場合の別の最適化プロセスを示すフローチャートである。
【図８】実際の利用形態における図７の最適化プロセスの模式図である。
【図９】本出願の第１の実施形態によるインターネット取引要求がアクセス要求である場合の最適化プロセスを示すフローチャートである。
【図１０】実際の利用形態における図９の最適化プロセスの模式図である。
【図１１】本出願の第２の実施形態によるインターネット取引を推奨する装置の構造図である。
【図１２】本出願の第２の実施形態によるインターネット取引を推奨する装置の別の構造図である。
【図１３】図１１及び図１２に記載される実施例の装置を詳細に表わした構造図である。
【発明を実施するための形態】
【００２３】
ユーザが情報オブジェクトを、やみくもに選択することによるネットワークリソースの占有を減らす実行解決策を提供するために、本開示の種々実施形態は、インターネット取引を推奨する方法及び装置を提供する。この技術的解決策は、インターネット取引を実行するプロセス、例えばユーザが情報オブジェクトを検索するプロセス、またはユーザが情報オブジェクトの評価情報を調査するプロセス、及びユーザが情報オブジェクトを、クライアントソフトウェアを利用して調査するプロセスに適用することができる。本開示の例示的な実施形態について、添付の図を参照して以下に更に詳細に説明する。例示的な実施形態は、本開示について記述して説明するためにのみ使用され、本開示を限定するものとして解釈されてはならないことに留意されたい。本開示の種々実施形態、及びこれらの実施形態の特徴は、相容れない記載が無い場合は、互いに組み合わせることができる。
【００２４】
第１の実施形態
本出願の第１の実施形態により提供されるインターネット取引を推奨する方法では、ユーザ群のユーザグループを予め作成しておくことができる。各ユーザのユーザグループは、少なくとも２人のユーザを含む。ユーザがインターネット取引要求を行なう場合、取引要求のフィードバック結果の最適化を、当該ユーザのユーザグループ内の他のユーザ群のインターネット取引操作情報に基づいて行なうことができる。
【００２５】
本開示の種々実施形態に含まれるインターネット取引要求は、インターネット内で提供される種々の機能に対する取引要求を含むことができる。例えば、インターネット内で提供される検索機能に関して、インターネット取引要求は、情報オブジェクトに対する検索要求とすることができる。検索要求は、例えばキーワード及び／または地理的位置のような情報オブジェクトを特徴付ける記述情報について検索するように要求される情報オブジェクトのキー情報を含むことができる。インターネット内で提供される情報アクセス機能に関して、インターネット取引要求は、ユーザが指定する情報オブジェクトに関連するインターネット取引操作に対するアクセス要求とすることができ、例えばユーザ（群）が購入する情報オブジェクトに関する評価情報にアクセスする要求とすることができる。
【００２６】
本開示の種々実施形態に含まれる情報オブジェクト群は、情報伝達的な内容である種々のオブジェクトに対応し、かつインターネットサービス、例えばクライアントオブジェクト群及びウェブページオブジェクト群を含む種々の種類のオブジェクトを含むことができる。更に詳細には、これらの情報オブジェクトは、端末装置に提示することができる製品情報、電子情報などのようなオブジェクトとすることができる。
【００２７】
本開示の種々実施形態に含まれるインターネット取引操作情報は、ユーザが主要な役割を果たす状況で生成される種々の種類の操作情報、例えば情報オブジェクトをユーザが購入することに関連する操作、情報オブジェクトをユーザが評価することに関連する操作などを含むことができる。
【００２８】
本開示の種々実施形態に含まれるインターネット取引要求のフィードバック結果は、ウェブサーバによって確認される結果であり、この結果は、インターネット取引要求のクライアント装置に、対応するインターネット取引要求に基づいて送信される。例えば、インターネット取引要求が検索要求である場合、対応するフィードバック結果は検索結果であり、この検索結果は、キーワード情報に一致していることが、検索要求に含まれる検索キー情報に基づいて確認される。インターネット取引要求が前述のアクセス要求である場合、対応するフィードバック結果はインターネット取引操作リストであり、このインターネット取引操作リストへのアクセスが要求され、かつこのインターネット取引操作リストがアクセス要求に一致する。当該リストは、情報オブジェクトに対応するユーザ群のインターネット取引操作情報を含む。例えば、当該リストは、情報オブジェクトを購入した全ユーザの購入記録、または情報オブジェクトを購入した全ユーザ群の評価記録を含むことができる。実際の利用形態では、これらの２種類の記録は、同時に取り込むことができる。
【００２９】
本開示の種々実施形態に含まれるユーザグループは、複数のユーザを有するグループに対応し、実際の利用シナリオでは、友人サークル、ユーザサークルなどのようなユーザ集合体と表記することができる。
【００３０】
本開示の種々実施形態に含まれる友人関係は、一方向の友人関係または双方向の友人関係とすることができる。例えば、第１ユーザが第２ユーザを友人として登録すると、第２ユーザが、第１ユーザの友人リストに含まれるようになる。第１ユーザを第２ユーザの友人リストに含めることができる（この種類の状況は、双方向の友人関係に対応する）、または第１ユーザを第２ユーザの友人リストに含めないようにすることができる（この種類の状況は、一方向の友人関係に対応する）。詳細には、ユーザまたはサーバが、一方向の友人関係または双方向の友人関係を設定することができる。同様に、本開示の種々実施形態におけるユーザを登録する要求では、ユーザを一方向に登録する、すなわち登録するように要求される要求対象ユーザを要求側の当事者のユーザグループにのみ登録することができる、またはユーザを双方向に登録する、すなわち登録するように要求される要求対象ユーザ、及び要求側の当事者が相互に、両側の当事者のそれぞれのユーザグループに登録することができる。
【００３１】
本開示の種々実施形態において提供される技術方式は、ウェブサーバとクライアントとの間の相互作用を含むシステムに使用することができる。詳細には、図２は、第１の実施形態によるインターネット取引を推奨するプロセスを示している。このプロセスは、以下のブロック２０１〜２０３を含む。
【００３２】
ブロック２０１では、ウェブサーバは、第１ユーザのクライアントから送信されるインターネット取引要求を受信する。
【００３３】
ブロック２０２では、ウェブサーバは、第１ユーザに関連するユーザグループの情報のクエリを生成する。ユーザグループの情報は、少なくとも２人のユーザの情報を含む。
【００３４】
ブロック２０３では、ウェブサーバは、インターネット取引要求のフィードバック結果の最適化を、少なくとも２人のユーザの情報に対応するそれぞれのインターネット取引操作情報に基づいて行なう。
【００３５】
インターネット取引を推奨するプロセスは、この段階で終了する。
【００３６】
図２のプロセスを使用して、ユーザのクライアントから送信されるインターネット取引要求を受信した後、ウェブサーバは、一方において、インターネット取引要求のフィードバック結果を確認し、他方において、ユーザのユーザグループの情報のクエリを生成する。ユーザグループ情報に含まれる他のユーザ群のインターネット取引操作情報に基づいて、ウェブサーバは、インターネット取引要求のフィードバック結果の最適化を行なう。既存の技術と比較して、本開示の技術方式では、インターネット取引に関連するフィードバック結果を返す前に、フィードバック結果を、他のユーザ群のインターネット取引操作に基づいて最適化することができる。既存の技術における、情報オブジェクトへの入力を行なって、ユーザがユーザ評価を調査するやみくもな選択方法と比較して、ユーザに返されるフィードバック結果は、ユーザのインターネット操作情報（例えば、情報オブジェクトに関するユーザ群の評価情報）に基づいて、本開示の技術方式を用いて最適化されることにより、ユーザが情報オブジェクトを選択し易くなるという目標を達成して、ユーザの要求を満たす情報オブジェクトを選択する際の効率を高め、ネットワークリソースの占有を減らし、ウェブサーバの稼働効率を向上させることができる。
【００３７】
これまで説明してきたように、本開示の種々実施形態により提供される技術方式では、ユーザのユーザグループを予め作成しておく、すなわち第１ユーザのユーザグループを、第１ユーザのクライアントから送信されるインターネット取引要求を受信する前に作成しておく。詳細には、図３は、第１ユーザのユーザグループを作成するプロセスを示すフローチャートを示しており、このプロセスは以下のブロックを含むことができる：
【００３８】
ブロック３０１では、第１ユーザは、第２ユーザをウェブサーバにクライアントを介して登録する要求を送信する。
【００３９】
このブロックでは、ユーザは登録対象のユーザを多くの異なる方法で、例えば地理的に近傍に位置しているユーザを選択することにより、アドレス帳のユーザを選択することにより、ソーシャルネットワークのソーシャルメディアを通じた友人を選択することにより、またはユーザをランダムに探索することにより選択することができる。ソーシャルネットワークは、Ｍｉｃｒｏ  Ｂｌｏｇ，ＷｅＣｈａｔ，ＭＳＮなどのような多種多様な種類のネットワークを含むことができるが、ソーシャルネットワークについて本明細書では個々に説明することはしない。ユーザは、種々の構成を予め設定しておくことができ、例えば友人を、アドレス帳を介して登録することを許可すべきかどうか、友人を近傍ユーザを通じて登録することを許可すべきかどうかについて予め設定しておくことができるが、種々の構成の設定について本明細書では個々に説明することはしない。
【００４０】
ブロック３０２では、第２ユーザを登録する要求を受信した後、ウェブサーバは、第２ユーザの情報を第１ユーザのユーザグループの情報に、要求に含まれる第２ユーザの情報に基づいて登録する。
【００４１】
このブロックでは、第１ユーザのユーザグループが既に存在している場合、第２ユーザの情報をユーザグループに直ぐに登録する。第１ユーザのユーザグループが存在していない場合、第１ユーザのユーザグループを作成して第２ユーザを登録する。
【００４２】
第１ユーザのユーザグループを作成するプロセスは、この段階で終了する。
【００４３】
図３のプロセスによれば、第１ユーザは、更に多くのユーザをユーザグループに登録することができる。
【００４４】
更に、本開示において提供されるユーザグループを作成する例示的な実施形態では、ユーザがユーザ（群）をユーザグループに登録し易くするために、第２ユーザを第１ユーザのクライアントから送信されるユーザグループに登録する要求を受信した後、登録対象とすることができるユーザ（群）が更に推奨される。詳細には、サーバは、第２ユーザに関連する友人を第１ユーザのクライアントに対して推奨することができる、または第２ユーザに関連する友人を第１ユーザのユーザグループの情報に自動的に登録することができる。第２ユーザに関連する友人は、第２ユーザのユーザグループの情報に含まれ、かつ第１ユーザによって予め設定されているクラス範囲を満たす友人に対応する。更に詳細には、第２ユーザに関連する友人は、友人関係に基づいて確認されて、第２ユーザに関連するユーザであることが確認される。第２ユーザに関連する友人を第１ユーザのクライアントに対してサーバによって推奨する方法は、実施例の方法に過ぎないことを理解されたい。実際の利用形態では、サーバは、第２ユーザに関連する友人の情報を、第１ユーザのユーザグループの情報に直ぐに登録することができる。実際の利用形態では、適用することになる当該方法は、ユーザによって設定することができる。
【００４５】
本開示の技術的解決策を更に深く理解するために、関連する友人を登録する実施例のプロセスについて、図４と組み合わせて例示する。図４は、ユーザ関係４００の模式図を示している。５人のユーザからなるユーザ集合体、すなわちユーザＸ４０１、ユーザＡ４０２，ユーザＢ４０３、ユーザＣ４０４、及びユーザＤ４０５は、ユーザＸのユーザグループと表記される（または、ユーザＸの友人サークルと表記される）。ユーザＸ及びユーザＡは友人関係を有している。ユーザＡ、ユーザＢ、及びユーザＣは、友人関係を有している。ユーザＣ及びユーザＤは、友人関係を有している。予め設定されているクラスが２段階である場合、ウェブサーバは、ユーザＸがユーザＡを友人として登録する要求をサーバに送信した後、ユーザＡの２クラスの友人、すなわちユーザＢ（ユーザＡの第１クラスの友人）、ユーザＣ（ユーザＡの第１クラスの友人）、及びユーザＤ（ユーザＡの第２クラスの友人）をユーザＸに対して推奨する。従って、ユーザＸは、複数の友人を、友人登録操作を１回行なうだけで、ウェブサーバによる推奨を受けて登録することができるので、ユーザグループが複数クラスの友人関係を有するようになり、ユーザＸ及びユーザＡが、第１クラスの友人関係４０６を有するようになり、ユーザＸ、ユーザＢ、及びユーザＣが、第２クラスの友人関係４０７を有するようになり、そしてユーザＸ及びユーザＤが、第３クラスの友人関係４０８を有するようになる。更に、友人関係は、図４に示すように、ユーザＸのユーザグループの第１クラスの友人、第２クラスの友人、または第３クラスの友人として直接的に図示することができる。更に、ユーザＸは、登録対象ユーザが属するクラスを調整することができ、例えばユーザＣを第１クラスの友人として、ユーザＤを第２クラスの友人として、そしてユーザＢを第３クラスの友人として調整することができる。明らかなことであるが、実際の利用シナリオでは、第１クラスの友人、第２クラスの友人、及び第３クラスの友人は、クラス分けを取り除き、ユーザＸの友人として表示することができる。
【００４６】
図４に示すユーザグループの関係は、本開示の実施例の実施形態に過ぎない。本開示の実施形態において提供される技術方式では、ユーザをサポートして、登録するように要求される要求対象ユーザに関連する友人をサーバが推奨するように希望するかどうかを柔軟に設定することができ、サーバが推奨する友人のクラスの所望の段階を設定することができ、かつ／または友人を推奨するためにサーバが使用する所望の方法を設定することができる。例えば、図４に示すように、推奨は、ユーザ群を単位として使用して行なうことができる、または推奨は、グループ群を単位として使用して、例えば性別、年齢、地理的位置などのグループ群を単位として使用して推奨を行なうことにより行なうことができる。特定の推奨方法は、柔軟に設定することができるが、この推奨方法について本明細書では個々に説明することはしない。
【００４７】
ユーザグループを作成した後、ウェブサーバは、取引要求のフィードバック結果の最適化を、ユーザグループに含まれるユーザ群のインターネット取引操作に基づいて行なうことができる。本開示の種々実施形態を更に深く理解するために、異なる種類のインターネット取引要求に関するそれぞれの最適化プロセスについて以下に説明する。
【００４８】
図５は、本開示の第１の実施形態による取引要求が情報オブジェクトに対する検索要求である場合の最適化プロセスを示すフローチャートを示しており、この最適化プロセスは、以下のブロックを含むことができる：
【００４９】
ブロック５０１では、検索要求のフィードバック結果を、ユーザが提出する検索要求に従って確認する。
【００５０】
このブロックの処理プロセスは、既存の検索プロセスの処理プロセスと同じである。詳細には、検索要求は普通、検索基準（例えば、キーワード及び／または地理的位置などのような情報オブジェクトを特徴付ける記述情報）を含む。検索要求に含まれる検索基準に基づいて、ウェブサーバは、検索基準に合致する全情報オブジェクトを検索してフィードバック結果（検索結果と表記される）を生成する。
【００５１】
ブロック５０２では、ユーザのユーザグループに含まれる各ユーザのインターネット取引操作に基づいて、検索要求のフィードバック結果に含まれるインターネット取引操作に対応する情報オブジェクト（群）を確認する。
【００５２】
説明のために、ユーザのユーザグループに含まれる各ユーザのインターネット取引操作は、以後、“ａｃｔｉｖｉｔｉｅｓ  ｏｆ  ａｎ  ａｓｓｏｃｉａｔｅｄ  ｕｓｅｒ（関連ユーザの操作）”と表記することとする。このブロックでは、検索要求のフィードバック結果に含まれるインターネット取引操作に対応する情報オブジェクトを確認する際に、関連ユーザのインターネット取引操作が行なわれるときに対象となる情報オブジェクトを確認する。例えば、ユーザＸが、情報オブジェクトＭを購入する場合、ユーザＸのこの取引操作に対応する情報オブジェクトがＭであることを確認する。
【００５３】
ブロック５０３では、フィードバック結果の中から確認される情報オブジェクト（群）を表示する状態を調整する。
【００５４】
このブロックでは、表示方法を予め設定しておくことができる。フィードバック結果の中から確認される情報オブジェクト（群）の表示順は、調整することができ、例えば確認される情報オブジェクトを最初に表示する、すなわちフィードバック結果に含まれる幾つかの位置を最初に表示することができる。別の構成として、確認される情報オブジェクト（群）は、フィードバック結果の中で強調することができる。別の構成として、確認される情報オブジェクト（群）は、個別のフィードバック結果として個別に表示することができる。実際の利用形態では、これらの３種類の表示方法のうちの１つの表示方法、または全ての表示方法を採用することができる。どの表示方法を採用するかは、ユーザが予め設定しておくことができる。
【００５５】
最適化プロセスは、インターネット取引要求が情報オブジェクトに対する検索要求である場合、この段階で終了する。
【００５６】
更に、図６は、実際の利用形態６００における図５に対応する最適化プロセスの模式図である。図６に示すように、ユーザ関係ストレージクエリ装置６０１を取り入れて、ユーザグループの情報を格納して当該情報のクエリを生成する。フィルタリング装置６０２を取り入れて、最適化処理を検索要求のフィードバック結果に対して行なう。詳細には、一方において、ユーザが検索基準６０３を入力した後、従来の検索エンジンを使用して、検索６０４を行なって、結果集合６０５（すなわち、フィードバック結果）をフィルタリング装置６０２に返す。他方において、ユーザが検索基準６０３を入力した後、提出された対応する要求のユーザ情報を自動的に取得し（６０６）、ユーザ関係ストレージクエリ装置６０１は、格納しているユーザグループ情報のユーザ情報のクエリを、取得したユーザ情報に基づいて生成して、クエリ結果をフィルタリング装置６０２に提出する。ユーザ関係ストレージクエリ装置６０１から供給されるユーザグループ情報を受信した後、フィルタリング装置６０２は、従来の検索エンジンから返される結果集合の最適化処理を、ユーザグループに含まれる関連ユーザ操作に基づいて行なって、注釈付きの結果集合またはフィルタ処理された結果集合を、関係リストに合致するデータが優先的に、強調されて、または個別に表示されている状態で取得する（６０７）。関係リストとは、ユーザのユーザグループに含まれる友人関係（群）を指し、関係リストのデータとは、友人関係（群）のインターネット取引操作情報を指している。
【００５７】
図７は、インターネット取引要求が、情報オブジェクトに対する検索要求である場合の別の最適化プロセスを示しており、この最適化プロセスは、以下のブロックを含むことができる：
【００５８】
ブロック７０１では、検索要求のフィードバック結果を、ユーザが提出する検索要求に基づいて確認する。
【００５９】
このブロックの実行方法は、ブロック５０１の実行方法と同じであり、この実行方法については、本明細書では冗長になるので説明しない。
【００６０】
ブロック７０２では、予め作成されているインデックス関係を取得する。
【００６１】
このブロック７０２では、インデックス関係は、最適化処理をインターネット取引要求のフィードバック結果に対して行なう前に作成することができる。詳細には、インデックス関係を作成するプロセスでは：各ユーザがインターネット取引操作を行なった場合、インデックス関係を当該ユーザの情報と少なくとも１つの情報オブジェクトとの間に、ユーザのインターネット取引操作に基づいて作成し、インデックス関係をユーザとの間で有する情報オブジェクトは、ユーザのインターネット取引操作に対応する。例えば、情報オブジェクトが製品である場合、ユーザＡは製品１、製品２、及び製品３を購入し、ユーザＢは製品２、製品４、及び製品６を購入し、ユーザＣは、製品１、製品３、及び製品５を購入している場合、作成されるインデックス関係は、以下の通りとすることができる：
“ユーザＡ−製品１−製品２−製品３”
“ユーザＢ−製品２−製品４−製品６”
“ユーザＣ−製品１−製品３−製品５”
【００６２】
ブロック７０３では、第１ユーザのユーザグループ情報に含まれる各ユーザ情報にそれぞれ対応する情報オブジェクト（群）を、作成したインデックス関係に基づいて確認する。
【００６３】
このブロックでは、ユーザ情報に対応する情報オブジェクトとは、当該ユーザのインターネット取引操作が行なわれるときに対象となる情報オブジェクトを指している。上記インデックス関係に基づいて、特定の第１ユーザのユーザグループが、ユーザＢ及びユーザＣを含む場合、確認される情報オブジェクトは、製品２、製品４、製品５、製品６、及び製品７である。
【００６４】
ブロック７０４では、フィードバック結果の中から確認される情報オブジェクト（群）を表示する状態を調整する。
【００６５】
ブロック７０４の実行方法は、ブロック５０３の実行方法と基本的に同じであり、この実行方法については、本明細書では冗長になるので説明しない。
【００６６】
最適化プロセスは、インターネット取引要求が情報オブジェクトに対する検索要求である場合、この段階で終了する。
【００６７】
更に、図８は、実際の利用形態８００における図７に対応する最適化プロセスの模式図を示している。ユーザ関係ストレージ装置８０１を取り入れて、各ユーザのユーザグループの情報を格納して当該情報のクエリを生成する。検索エンジン及びインデックス作成装置８０２を取り入れて、インデックス関係を作成し、ユーザ関係（群）を含む検索エンジン装置８０３を取り入れて、最適化処理を検索要求のフィードバック結果に対して行なう。詳細には、ユーザが検索基準８０４を入力した後、複合クエリ基準８０５、すなわち（ユーザ関係＋検索条件）は、一方においてクエリをユーザ関係ストレージ装置８０１に発行することにより確認される。複合クエリ基準８０５は、ユーザ関係（群）を含む検索エンジン装置８０３に供給される。他方において、検索エンジン及びインデックス作成装置８０２は、製品検索情報または他の検索情報８０６及びユーザ関係を基礎データとして用いて、ユーザ関係（群）を含む検索エンジン装置８０３によって使用されるインデックス関係を作成する。ユーザ関係（群）を含む検索エンジン装置８０３は、ユーザが入力する検索基準を満たす検索結果集合のクエリを、インデックス関係及び複合クエリ基準８０５に基づいて生成して、最適化プロセスを結果集合に対して、インデックス関係及びユーザ関係に基づいて実施することにより、注釈付きの結果集合またはフィルタ処理された結果集合を、関係リストに合致するデータが、優先的に、強調されて、または個別に表示されている状態で取得する（８０７）。結果集合に対してインデックス関係及びユーザ関係に基づいて行なわれる最適化処理は、上記ブロック７０３〜７０４のプロセスを参照して行なうことができる。
【００６８】
図９は、インターネット取引要求がアクセス要求である場合の最適化プロセスを示しており、最適化プロセスは以下のブロックを含む：
【００６９】
ブロック９０１では、ユーザがアクセスを要求する要求対象の情報オブジェクトに関連するインターネット取引操作の情報を、ユーザが提出するアクセス要求に基づいて取得する。
【００７０】
ブロック９０２では、ユーザのユーザグループに含まれる各ユーザの操作情報を、取得したインターネット取引操作の中から確認する。
【００７１】
ブロック９０３では、ブロック９０２で確認される操作を、ブロック９０２で取得されるインターネット取引操作の情報の中から表示する状態を調整する。
【００７２】
上記ブロック５０３と同様にして、ブロック９０２で確認されるインターネット取引操作情報を、ブロック９０１で確認されるインターネット取引操作情報の中から表示する状態の調整は、予め設定しておくことができる。例えば、表示順を調整することができる、強調表示を調整することができる、または確認されるインターネット取引操作情報の個別表示を調整することができる。実際の利用形態では、これらの３種類の表示方法のうちの１つの表示方法、または全ての表示方法を適用することができる。
【００７３】
最適化プロセスは、インターネット取引要求が情報オブジェクトへのアクセス要求である場合、この段階で終了する。
【００７４】
更に、図１０は、実際の利用形態１０００における図９に対応する最適化プロセスの模式図を示しており、この場合、ユーザがアクセスを要求する要求対象のインターネット取引操作は、情報オブジェクトを購入したユーザ（群）から例示として与えられる情報オブジェクトの評価情報であると考えられる。図１０に示すように、ユーザ関係ストレージ装置１００１を取り入れて、ユーザグループの情報を格納して当該情報のクエリを生成する。評価順処理装置または表示処理装置１００２を取り入れて、最適化処理を結果集合に対して行なう。詳細には、ユーザが、情報オブジェクトの表示インターフェースの評価リストへのアクセスを要求した（１００３）後、一方において評価情報を検索して（１００４）、結果集合（１００５）を取得し、他方において、アクセス要求を提出するユーザのユーザ情報を自動的に取得して（１００６）、ユーザ関係ストレージクエリ装置１００１に供給することにより、ユーザのユーザグループの情報を確認する。更に、確認結果をユーザ関係ストレージクエリ装置１００１から評価順処理装置または表示処理装置１００２に供給する。評価順処理装置または表示処理装置１００２は、結果集合に含まれる対応ユーザ（群）の評価情報のクエリを、ユーザグループについて取得される情報に基づいて生成し、対応ユーザ（群）の評価情報を、優先的な表示、個別の表示、または強調表示を用いて提示して、最終結果集合をユーザに返す（１００７）。
【００７５】
本開示の実施形態により提供される上記技術方式は、以下の有利な効果を含む：
【００７６】
Ｎクラスの友人関係を援用して、ユーザは、非常に多くの友人関係を、友人グループ（または、友人サークル）を使用して迅速に構築することができる。特殊性が購入に関連する評価に必要なので、サークルのメンバーに関連する多数の個人情報（ＩＤのような）を開示しなくても済み、サークルの友人による購入、及び推奨情報に関連する評価記録のみが全体として、提示される必要がある。微小な調整を友人の内部関係に対して更に行なって、例えば悪意のある評価を与える、または宣伝広告をサークルから送出するようなユーザを排除することができる。
【００７７】
購入グループ群は、ユーザグループ群を構築することにより統合される。統合グループ指標（すなわち、ユーザグループ群）を、評価情報を表示する次のプロセスに導入する。同じグループの購入者による評価、または元の製品情報をまず表示して、当該購入者を直ちに誘導して、購入を、彼／彼女が初めから信頼している評価情報に基づいて行なわせる。
【００７８】
友人グループの購入者群を登録者として処理することにより、購入者の購入操作を友人グループ内で誘発して、グループ内での繰り返し購入という目標を達成する。
【００７９】
購入者群を、ユーザグループ群を構築して統合することにより、統合グループ（すなわち、友人グループ）内の低い評価の影響を適当に大きくして、購入者と販売者との間の広範な評価関係を分離して、購入者により与えられる低い評価情報をグループ内で効率的に流通させることができ、購入者と販売者との間の直接的な利害対立を回避する。これとは異なり、オンラインストアに大きく影響する悪意のある評価操作は、統合された購入者群のグループ内の低い評価から除外される。
【００８０】
迂回設定を購入者に対して、ユーザグループを構築することにより行なって、最初に大まかに完了した検索、取引、及び評価をより細かな取引グループ群に分割する。関連する関係を販売者とユーザグループとの間に構築することにより、販売者は、比較的安定したユーザグループを担当することに注力することにより、マタイ効果（富める者はますます富み、奪われる者はますます奪われるという現象）が強く作用するのを回避する。同時に、販売者及び購入者の両者の購入体験が向上し、販売者が差別化したサービスを、固定ユーザグループ群に対して行なう際の効率を高めることができる。
【００８１】
第２の実施形態
上記第１の実施形態により提供されるインターネット取引を推奨する方法に対応して、本開示の第２の実施形態は、インターネット取引を推奨する装置を提供する。この装置は、ネットワーク側のサーバに設けることができる。
【００８２】
図１１は、本実施形態において提供されるインターネット取引を推奨する装置の構造図を示している。詳細には、当該装置は、取引要求受信ユニット１１０１と、ユーザグループメンテナンスユニット１１０２と、フィードバック結果最適化ユニット１１０３と、を含む。
【００８３】
取引要求受信ユニット１１０１は、インターネット取引要求を第１ユーザのクライアントから受信するために使用される。
【００８４】
ユーザグループメンテナンスユニット１１０２は、第１ユーザのユーザグループ情報のクエリを生成するために使用され、ユーザグループ情報は、少なくとも２人のユーザの情報を含む。
【００８５】
フィードバック結果最適化ユニット１１０３は、インターネット取引要求のフィードバック結果を、少なくとも２人のユーザの情報に対応するインターネット取引操作情報に基づいて最適化するために使用される。
【００８６】
本開示の例示的な実施形態では、図１１の装置に含まれるユーザグループメンテナンスユニット１１０２は更に、第２ユーザをユーザグループに登録する要求を第１ユーザのクライアントから受信して、第２ユーザの情報を、第１ユーザのユーザグループ情報に、第２ユーザを登録する要求に含まれる第２ユーザの情報に基づいて登録するために使用される。
【００８７】
本開示の例示的な実施形態では、図１１の装置に含まれるユーザグループメンテナンスユニット１１０２は更に、第２ユーザに関連する友人を、第１ユーザのクライアントに対して推奨するために使用される、または第２ユーザをユーザグループに登録する要求を、第１ユーザのクライアントから受信した後に、第２ユーザに関連する友人を、第１ユーザのユーザグループ情報に自動的に登録するために使用され、第２ユーザに関連する友人は、第１ユーザによって第２ユーザのユーザグループ情報に予め設定されているクラス範囲を満たす友人に対応する。
【００８８】
本開示の例示的な実施形態では、図１１の装置に含まれる取引要求受信ユニット１１０１は更に、情報オブジェクトに対する検索要求を第１ユーザのクライアントから受信するために使用される、またはユーザが指定する情報オブジェクトに対して行なわれるインターネット取引操作にアクセスするアクセス要求を受信するために使用される。
【００８９】
本出願の例示的な実施形態では、図１１の装置に含まれるフィードバック結果最適化ユニット１１０３は：
インターネット取引要求が、情報オブジェクトに対する検索要求を含んでいる場合、インターネット取引操作に対応する情報オブジェクト（群）を検索要求のフィードバック結果の中から、少なくとも２人のユーザの情報に対応するそれぞれのインターネット取引操作に基づいて確認して、フィードバック結果の中から確認される情報オブジェクト（群）を表示する状態を調整するために使用される；または
インターネット取引要求がアクセス要求を含んでいる場合、少なくとも２人のユーザの情報に対応するそれぞれのインターネット取引操作を、指定された情報オブジェクトに対応する全ユーザのインターネット取引操作の中から確認して、全てのユーザ群のインターネット取引操作の中から確認されるインターネット取引操作を表示する状態を調整するために使用される。
【００９０】
図１２に示すように、本開示の例示的な実施形態では、図１１の装置は更に：
各ユーザがインターネット取引操作を行なう場合に、インデックス関係をユーザの情報と少なくとも１つの情報オブジェクトとの間に、ユーザのインターネット取引操作に従って構築するために使用されるインデックス生成ユニット１１０４を含むことができ、インデックス関係をユーザとの間で有する情報オブジェクトは、ユーザのインターネット取引操作に対応する。
【００９１】
従って、フィードバック結果最適化ユニット１１０３は、各ユーザ情報に対応するそれぞれの情報オブジェクトを、第１ユーザのユーザグループ情報の中から、インデックス生成ユニットが作成するインデックス関係に基づいて確認して、フィードバック結果の中から確認される情報オブジェクト（群）を表示する状態を調整するために使用される。
【００９２】
上記ユニット群またはモジュール群の機能は、上記第１の実施形態における対応プロセス群の特定の処理に対応しており、これらの機能については本明細書では冗長になるので説明しない。
【００９３】
本開示の種々実施形態により提供されるインターネット取引を推奨する装置は、コンピュータプログラムを使用して実現することができる。この技術分野の当業者であれば、ユニット群及びモジュール群を分割する上記方法は、多数の種類の分割方法の１つの分割方法に過ぎないことを理解できるであろう。他のユニット群またはモジュール群を分割するか、または分割を行なわないかどうかについても、情報オブジェクトの推奨装置が上記機能群を有している限り、本開示の保護範囲に含まれるべきである。
【００９４】
この技術分野の当業者であれば、本開示の種々実施形態は、方法、装置（デバイス）、またはコンピュータプログラムの製品として実現することができることを理解できるであろう。従って、本開示は、ハードウェアの形態、ソフトウェアの形態、またはハードウェア及びソフトウェアを組み合わせた形態として実現することができる。更に、本開示は、コンピュータ可読プログラム命令を含む１つ以上のコンピュータ可読記憶媒体（これらには限定されないが、ディスク記憶装置、ＣＤ−ＲＯＭ、光記憶装置などを含む）上で実行可能なコンピュータプログラム製品の形態として実現することができる。
【００９５】
本開示は、例示的な方法、装置（デバイス）、及びコンピュータプログラム製品のフローチャート、及び／またはブロック図に従って記述される。これらのフローチャート群及び／又はこれらのブロック図のプロセス群及び／又はブロック群の各プロセス及び／又はブロックならびに組み合わせは、コンピュータプログラム命令の形態で実行することができることを理解されたい。このようなコンピュータプログラム命令を、汎用コンピュータ、特殊用途コンピュータ、エンベデッドプロセッサ、またはプログラマブルデータ処理装置を有する別の処理装置に供給してマシンを生成し、これらのフローチャート群の１つ以上のプロセスに記述される１つ以上のブロック、及び／またはブロック図の１つ以上のブロックに指示される機能群を有する装置を、これらの命令を、コンピュータ、またはプログラマブルデータ処理装置を有する他の処理装置により実行することにより実現することができる。
【００９６】
このようなコンピュータプログラム命令はまた、コンピュータ可読メモリ装置に格納することができ、このコンピュータ可読メモリ装置は、コンピュータ、または他のプログラマブルデータ処理装置に指示して、特殊な形態で機能させることにより、命令装置を含む製品を、コンピュータ可読メモリ装置に格納されるこれらの命令に従って構成することができる。当該命令装置は、フローチャート群の１つ以上のプロセス、及び／またはブロック図の１つ以上のブロックによって指示される機能群を実行する。
【００９７】
これらのコンピュータプログラム命令はまた、コンピュータ、または別のプログラマブルデータ処理装置に読み込んで、一連の演算をコンピュータ、または他のデータ処理装置によって実行して、コンピュータ実行処理を行なうことができる。従って、コンピュータ、または他のプログラマブル装置が実行するこれらの命令を使用して、これらのブロック図のフローチャート群、及び／または１つ以上のブロックの１つ以上のプロセスを実行することができる。
【００９８】
図１３は、上に説明した装置のような実施例の装置１３００を詳細に示している。１つの実施形態では、クライアント装置１３００は、これらには限定されないが、１つ以上のプロセッサ１３０１と、ネットワークインターフェース１３０２と、メモリ１３０３と、入力／出力インターフェース１３０４と、を含むことができる。
【００９９】
メモリ１３０３は、ランダムアクセスメモリ（ＲＡＭ）のような揮発性メモリ、及び／またはリードオンリメモリ（ＲＯＭ）またはフラッシュＲＡＭのような不揮発性メモリの形態のコンピュータ可読媒体を含むことができる。メモリ１３０３は、コンピュータ可読媒体の実施例である。
【０１００】
コンピュータ可読媒体は、いずれかの方法または技術で製造されて、コンピュータ可読命令、データ構造、プログラムモジュール、または他のデータのような情報を格納する揮発性媒体及び不揮発性媒体、着脱可能媒体、及び着脱不能媒体を含む。コンピュータ記憶媒体の実施例として、これらには限定されないが、相変化メモリ（ＰＲＡＭ）、スタティックランダムアクセスメモリ（ＳＲＡＭ）、ダイナミックランダムアクセスメモリ（ＤＲＡＭ）、他の種類のランダムアクセスメモリ（ＲＡＭ）、リードオンリメモリ（ＲＯＭ）、電気的消去可能なプログラマブルリードオンリメモリ（ＥＥＰＲＯＭ）、フラッシュメモリ、または他のメモリ技術、コンパクトディスクリードオンリメモリ（ＣＤ−ＲＯＭ）、デジタル多用途ディスク（ＤＶＤ）、または他の光記憶装置、磁気カセット、磁気テープ、磁気ディスク記憶装置、または他の磁気記憶装置、または情報を格納してコンピューティングデバイスがアクセスするために使用することができる他の任意の非伝送媒体を挙げることができる。本明細書において定義されるように、コンピュータ可読媒体は、変調データ信号及び搬送波のような一時的な媒体を含まない。
【０１０１】
メモリ１３０３は、プログラムユニット群１３０５及びプログラムデータ１３０６を含むことができる。１つの実施形態では、プログラムユニット群１３０５は、取引要求受信ユニット１３０７と、ユーザグループメンテナンスユニット１３０８と、フィードバック結果最適化ユニット１３０９と、インデックス関係生成ユニット１３１０と、を含むことができる。これらのプログラムユニットに関する詳細は、上に説明したこれまでの実施形態に記載されている。
【０１０２】
本開示の例示的な実施形態について説明してきたが、この技術分野の当業者であれば、これらの例示的な実施形態に変更及び変形を、これらの実施形態の基本的かつ創造的なコンセプトを理解することにより加えることができる。従って、本明細書に添付される請求項は、これらの例示的な実施形態、及び本開示の範囲に含まれる変更及び変形の全てを含むものである。明らかなことであるが、この技術分野の当業者であれば、変更及び変化を本開示に対して、本開示の思想及び範囲から逸脱しない限り加えることができる。これらの変更及び変形が、本開示の請求項の範囲、及びこれらの請求項の等価物の範囲に含まれる場合、本開示は、このような変更及び変形を含むものとする。
【図１】
2016517986.tif 000003
【図２】
2016517986.tif 000004
【図３】
2016517986.tif 000005
【図４】
2016517986.tif 000006
【図５】
2016517986.tif 000007
【図６】
2016517986.tif 000008
【図７】
2016517986.tif 000009
【図８】
2016517986.tif 000010
【図９】
2016517986.tif 000011
【図１０】
2016517986.tif 000012
【図１１】
2016517986.tif 000013
【図１２】
2016517986.tif 000014
【図１３】
2016517986.tif 000015
【国際調査報告】
2016517986.tif 000016
2016517986.tif 000017
2016517986.tif 000018